(57)【要約】【課題】本考案は、体型補整だけでなく、乳房アップ効果を持たせた婦人用補整下着であるコルセットを提供する。【解決手段】女性がコルセットを着用する時、同時に、乳房をより良い形状に補整することができ、豊かさを求める効果が得られ、コルセット１０の開口襟部１４に、左右対の乳房アップ部１５，１６が設けられ、前記左右乳房アップ部の互いに対応する部分に連結紐１７或いはボタン１７１などの係合具を設けることで、被覆された乳房が、アップされて集中され、これにより、着用者は、体型補整だけでなく、乳房の豊かさを補整することができる。【選択図】図１
0003137447.tif 000002
【実用新案登録請求の範囲】
【請求項１】
コルセットの前身頃の上方胸部に開口襟部を設け、該開口襟部に左乳房と右乳房をアップする左乳房アップ部と右乳房アップが縫製されていることを特徴するコルセット。
【請求項２】
前記左，右乳房アップ部は、通気性のある材質で構成されていることを特徴する請求項１に記載のコルセット。
【請求項３】
前記材質は、伸縮・弾性機能を有するレース生地やオープンニット生地等から選択されたものであることを特徴する請求項２に記載のコルセット。
【請求項４】
前記開口襟部に縫製された記左，右乳房アップ部は、互いの対応する中央位置側の端部に設けた係合具によって連結可能としたことを特徴する請求項１に記載のコルセット。
【請求項５】
前記係合具は、ボタン、スナップボタン、ベルトボタン、連結紐並びに面ファスナーから選択されたものであることを特徴する請求項１に記載のコルセット。
【考案の詳細な説明】
【技術分野】
【０００１】
本考案は、コルセットに関し、特に、体型補整だけでなく、乳房アップ効果を持たせた婦人用補整下着であるコルセットに関する。
【背景技術】
【０００２】
体型美を追求することは、多くの女性にとって切実な問題であり、「女性は、自身を愛する人のために飾る」という諺があるほどである。体型を矯正・補整するために、多くのダイエットセンターが設立されており、ダイエットによる体型作りにおいては、贅肉を除去して、スレンダーな体型を取り戻すことが主な目的となっている。
また、綺麗な体型を保つために、ダイエットばかりではなくコルセットを着用し、体型補整の目的を高めている。
【０００３】
しかし乍ら、女性の身体の特徴である乳房部分に対して、有効に且つ綺麗な形状を維持する補整手段はない。健康的で豊かな乳房を備えた体型とすることは、多くの女性によって、究極の願望であるといえる。
女性の乳房の外型は、各人によって異なり、円盤形状や半球形状、円錐形状及び下垂形状等の形状があり、成年女性で哺乳したことがない乳房は、半球形状で豊かな弾力性を有する。乳房の形状・大きさ・弾力性を保つために影響する原因としては、生理による血漿中の脂肪酸と、脳下垂体や卵巣により分泌された女性ホルモンが関係している。
【０００４】
即ち、
１．出産哺乳後の乳房下垂形状がある。これは哺乳が停止した後、ホルモンの低減により、乳腺やグランド及び脂肪組織の萎縮が発生し、皮膚や支持組織が対応して増加するため、乳房下垂形状になる。
２．老年性乳房下垂形状がある。老年婦人では、各種類の生理機能が衰退するため内分泌機能も低下する。老年婦人の乳房下垂形状は、皮膚や支持組織、脂肪及びグランドが、大幅に衰退や萎縮するため、乳房に張りがなくなって垂下状態になる。
３．巨乳に伴う乳房下垂形状がある。巨大な乳房の重力により、乳房の皮膚や支持組織が、下方に引っ張られて伸びて乳房下垂形状になる。
４、ダイエットの後の乳房下垂形状がある。主として、ダイエットにより、乳房内の脂肪組織が減少し、皮下組織や皮膚が弛緩するために起こる体型の変化である。
【０００５】
女性の乳房に、豊かさや美観及び魅惑性をもたせる為に、薬品或いは物理的な整形方法により乳房を豊満に補整する手段があるとしても、その効果が制限される。
それらの方法によれば、乳房は一時は補整が有効であるが、期間の経過に伴って短期間のうちに豊満さを失ってしまう。
【０００６】
これまでのコルセットでは、乳房の豊かさを確保するために、コルセットに乳房の根部に位置する襟が設けられ、これにより、乳房が外側へ広がることを抑制できるようにしているが、乳房の豊かさを保つ効果が殆どないため、胸部の美感を創出するには、更にブラジャーの着用が必要となる。
【考案の開示】
【考案が解決しようとする課題】
【０００７】
本考案の主な目的は、体型補整だけでなく、乳房アップ効果を持たせた婦人用補整下着に係るコルセットを提供する。
【課題を解決するための手段】
【０００８】
請求項１の考案は、コルセットの前身頃の上方胸部に開口襟部を設け、該開口襟部に左乳房と右乳房をアップする左乳房アップ部と右乳房アップが縫製されていることを特徴するコルセットである。
【０００９】
請求項２の考案は、請求項１に記載のコルセットにおいて、前記左，右乳房アップ部は、通気性のある材質で構成されていることを特徴する。
【００１０】
請求項３の考案は、請求項２に記載のコルセットにおいて、前記材質は、伸縮・弾性機能を有するレース生地やオープンニット生地等から選択されたものであることを特徴する。
【００１１】
請求項４の考案は、請求項１に記載のコルセットにおいて、前記開口襟部に縫製された記左，右乳房アップ部は、互いの対応する中央位置側の端部に設けた係合具によって連結可能としたことを特徴する。
【００１２】
請求項５の考案は、請求項１に記載のコルセットにおいて、前記係合具は、ボタン、スナップボタン、ベルトボタン、連結紐並びに面ファスナーから選択されたものであることを特徴する。
【考案の効果】
【００１３】
本考案によれば、コルセットの開口襟部に左，右乳房アップ部を設けたことで、乳房が外側へ広がることを抑制して胸部の美感を創出することができるため、コルセット着用の上にブラジャーを着けるという必要がなく、体型をすっきりと保持させることができると共に、体型補整だけでなく、乳房アップ効果を持たせた婦人用補整下着に係るコルセットを提供でき、乳房の豊かさを保つ効果を有する。
【考案を実施するための最良の形態】
【００１４】
以下、本考案のコルセットの一実施例について図面と共に詳細に説明する。
【実施例】
【００１５】
図１〜図２は本考案のコルセットの一実施例の要部の拡大正面図、および全体正面図であり、コルセット１０は、前，後身頃部を有する太腿部とウエスト部と胸部及び肩部とからなり、肩部には肩紐１１が設けられると共に、前身頃部の胸部には開口襟部１４が開口して設けられている。
【００１６】
本考案の特徴とするところは、前記開口襟部１４の開口下方側には、左右端部および下端部が固着された女性の乳房をアップするための左乳房アップ部１５と右乳房アップ部１６とが固着されていることにある。
【００１７】
前記左右乳房アップ部１５，１６は、通気性のある伸縮・弾性を有する布地からなる材質が好ましく、例えば、レースやオープンニット等が用いられる。これにより、乳房を収納できる大きい空間が形成され、ユーザーが着用した時も、乳房が開口襟部１４の上方から突出して、左右乳房アップ部１５，１６によって囲まれることで、該左右乳房アップ部１５，１６によって被覆される。そして、前記左右乳房アップ部１５，１６の弾性材質による弾力により、乳房が中央部に寄せられてアップされるようになる。
【００１８】
更にまた、前記左右乳房アップ部１５，１６の対応上部にはそれぞれ係合具としての連結紐１７が設けられており、ユーザーが着用した時に、乳房が外へ広がり下垂したとしても、左右連結紐１７を結ぶことで、前記左右乳房アップ部１５，１６が中間側に寄せられ、これにより乳房も集中アップが可能となるため、乳房の豊かさを連結紐１７の緊張度合いによって制御できる。
【００１９】
また、前記左右乳房アップ部１５，１６の対応接触下部（乳房の谷間に相当する部分）にボタン１７１などの係合具を設けている。尚、前記係合具は、スナップボタン、ベルトボタン、連結紐、並びに面ファスナーなどであってもよいことは勿論である。
また、前記左右乳房アップ部１５，１６の内部に、乳房パッド（図に未表示）を着けても良い。
【００２０】
本考案のコルセットのよれば、普通にコルセットを着用してから、乳房を開口襟部１４上にある左，右乳房アップ部１５，１６内の適当な位置に収納し、そして、係合具であるボタン１７１或いは連結紐１７を互いに結び合わせて、乳房を左右乳房アップ部１５，１６によって覆い、乳房を中央に寄せて上へアップさせ、前記左右乳房アップ部１５，１６の上縁にある連結紐１７の緊張度を調整することにより、乳房の豊かさを補整することができる。
また、ユーザー自身により連結紐１７の緊張度を調整することにより、自分に相応しい豊かさや豊満度が得られる。
【００２１】
実際の使用によると、前記左右乳房アップ部１５，１６の機能により、左右乳房アップ部１５，１６は乳房の大きさによって影響されることがなく乳房を収納する空間が形成される。たとえば、乳房が小さい場合には、左右乳房アップ部１５，１６によって被覆されるし、また、乳房が大きい場合には、左右の乳房を集中させ、両方とも、左右乳房アップ部１５，１６の所定範囲内に収まるように制限するため、乳房の大きさに係わらず、左右乳房アップ部１５，１６によって被覆されてアップされ、乳房の豊かを求める目的が実現される。
【００２２】
上記から分かるように、本考案に係わるコルセットは、女性がコルセットを着用した時に、体型を補整するばかりでなく、同時に、乳房をより良い形を作ることができ、豊かさを求める効果が得られる。コルセットの開口襟部に、左右対の乳房アップ部が設けられ、乳房アップ部の対応位置には連結紐あるいはボタン等の係合具を設けたことにより、被覆された乳房が、連結紐により中央側に寄せられてアップされる。これにより、着用者は、体型作りだけでなく、乳房の豊かさを補整することができる。
【図面の簡単な説明】
【００２３】
【図１】本考案のコルセットの一実施例を示す要部の拡大正面図。
【図２】本考案のコルセットの一実施例を示す全体正面図。
【符号の説明】
【００２４】
１０      コルセット
１１      肩紐
１４      開口襟部
１５      左乳房アップ部
１６      右乳房アップ部
１７      連結紐（係合具）
１７１    ボタン（係合具）
【図１】
0003137447.tif 000003
【図２】
0003137447.tif 000004